(57)【要約】【課題】フィルタケーシングを支持、固定する台座を設け、容易に取り付け、取り外し可能な構造であるろ過装置を目的とする。【解決手段】上部が開口した円筒状のケーシング１０と前記ケーシング１０内部に入れて使用するフィルター１１と前記ケーシング１０の開口部を密閉状態に螺合するねじ蓋１２とを備えたろ過部と、ろ過部のケーシング１０を支える台座組と、ろ過部と台座組を連結する連結部とを備え、前記台座組は、底部に第一ねじ１３を備えた可動テーブル１４と、その可動テーブル１４を支える台座部１５とを備え、台座部１５は、上部板１６と下部板１７とバネ材１８を有し、上部板１６には前記第一ねじ１３の貫通孔１９を備え、下部板１７には前記第一ねじ１３と螺合する第二ねじ２０を備え、前記ケーシング１０を回転させて前記第一ねじ１３と第二ねじ２０を螺合するとねじ蓋１２の螺合がはずれる構成とした。【選択図】図１
2016159276.tif 000002
【特許請求の範囲】
【請求項１】
外部配管から供給された水に含まれる濁質成分を除去するろ過装置であって、前記ろ過装置は、上部が開口した円筒状のケーシングと前記ケーシング内部に入れて使用するフィルターと前記ケーシングの開口部を密閉状態に螺合するねじ蓋とを備えたろ過部と、前記ろ過部のケーシングを支える台座組と、前記ろ過部と台座組を連結する連結部とを備え、前記台座組は、底部に第一ねじを備えた可動テーブルと、その可動テーブルを支える台座部とを備え、前記台座部は、上部板と下部板とバネ材を有し、前記上部板には前記第一ねじの貫通孔を備え、前記下部板には前記第一ねじと螺合する第二ねじを備え、前記ケーシングを回転させて前記第一ねじと第二ねじを螺合すると前記ねじ蓋の螺合がはずれる構成としたろ過装置。
【請求項２】
前記連結部は、前記可動テーブルとケーシングに備え、前記ケーシングを回転することで前記可動テーブルも回転可能とした請求項１記載のろ過装置。
【請求項３】
前記連結部は、前記可動テーブルに備えた爪と、前記ケーシング側面に備えた凹部であって、前記爪と凹部の嵌着によって、ケーシングを可動テーブル上に固定する請求項２記載のろ過装置。
【請求項４】
前記可動テーブルの第一ねじと前記ケーシングのねじ蓋は、互いに逆方向のねじであってピッチを等しくした請求項１記載のろ過装置。
【発明の詳細な説明】
【技術分野】
【０００１】
本発明は、水の中に含まれる濁質や浮遊物質の除去などにより水の浄化を行うろ過装置に関するものである。
【背景技術】
【０００２】
従来、この種のろ過装置は、フィルターのろ過面積を上げて、ろ過効率を高くしたものが知られている（例えば、特許文献１参照）。
【０００３】
以下、そのろ過装置について図４を参照しながら説明する。
【０００４】
水処理装置は、流入配管１０１と前記流入配管１０１に接続した蓋部１０２、ろ過フィルター１０３、ケーシング１０４および流出配管１０５からなり、流入配管１０１よりケーシング１０４内に流入した原水はろ過フィルター１０３の外側から内側へ抜け、この際濁質成分が除去される。
【０００５】
ろ過された原水は流出配管１０５より排出される。
【先行技術文献】
【特許文献】
【０００６】
【特許文献１】特開２０１５−１３２８５号公報
【発明の概要】
【発明が解決しようとする課題】
【０００７】
このような従来のろ過装置は、フィルターを洗浄する際ケーシングをねじ蓋から取り外さなければならなかった。その際に水が入ったケーシングの重さが作業者の腕にかかるため負担となり、水が溢れて作業者にかかる等の事象が発生しやすかった。また、取り付け時にもケーシングを持ち上げながらねじ蓋に取り付けなければならず、作業の負担が大きくなるという課題を有していた。
【０００８】
そこで本発明は、上記従来の課題を解決するものであり、ケーシングの取り付け、取り外しを容易にし、作業の負担を軽減することのできる水処理装置を提供することを目的とする。
【課題を解決するための手段】
【０００９】
そして、この目的を達成するために、本発明は、外部配管から供給された水に含まれる濁質成分を除去するろ過装置であって、前記ろ過装置は、上部が開口した円筒状のケーシングと前記ケーシング内部に入れて使用するフィルターと前記ケーシングの開口部を密閉状態に螺合するねじ蓋とを備えたろ過部と、前記ろ過部のケーシングを支える台座組と、前記ろ過部と台座組を連結する連結部とを備え、前記台座組は、底部に第一ねじを備えた可動テーブルと、その可動テーブルを支える台座部とを備え、前記台座部は、上部板と下部板とバネ材を有し、前記上部板には前記第一ねじの貫通孔を備え、前記下部板には前記第一ねじと螺合する第二ねじを備え、前記ケーシングを回転させて前記第一ねじと第二ねじを螺合すると前記ねじ蓋の螺合がはずれる構成としたろ過装置としたものであり、これにより所期の目的を達成するものである。
【発明の効果】
【００１０】
本発明は、外部配管から供給された水に含まれる濁質成分を除去するろ過装置であって、前記ろ過装置は、上部が開口した円筒状のケーシングと前記ケーシング内部に入れて使用するフィルターと前記ケーシングの開口部を密閉状態に螺合するねじ蓋とを備えたろ過部と、前記ろ過部のケーシングを支える台座組と、前記ろ過部と台座組を連結する連結部とを備え、前記台座組は、底部に第一ねじを備えた可動テーブルと、その可動テーブルを支える台座部とを備え、前記台座部は、上部板と下部板とバネ材を有し、前記上部板には前記第一ねじの貫通孔を備え、前記下部板には前記第一ねじと螺合する第二ねじを備え、前記ケーシングを回転させて前記第一ねじと第二ねじを螺合すると前記ねじ蓋の螺合がはずれる構成としたろ過装置であり、ケーシングの重量を台座部が支えることでメンテナンス時のケーシングの取り付け、取り外しを容易にするという効果を得ることができる。
【図面の簡単な説明】
【００１１】
【図１】本発明の実施の形態１の水処理装置の構成を示す模式図
【図２】本発明の実施の形態１の台座部の構成を示す模式図
【図３】本発明の実施の形態２の連結部の構成を示す模式図
【図４】従来のろ過装置の構成を示す図
【発明を実施するための形態】
【００１２】
本発明の請求項１記載のろ過装置は、外部配管から供給された水に含まれる濁質成分を除去するろ過装置であって、前記ろ過装置は、上部が開口した円筒状のケーシングと前記ケーシング内部に入れて使用するフィルターと前記ケーシングの開口部を密閉状態に螺合するねじ蓋とを備えたろ過部と、前記ろ過部のケーシングを支える台座組と、前記ろ過部と台座組を連結する連結部とを備え、前記台座組は、底部に第一ねじを備えた可動テーブルと、その可動テーブルを支える台座部とを備え、前記台座部は、上部板と下部板とバネ材を有し、前記上部板には前記第一ねじの貫通孔を備え、前記下部板には前記第一ねじと螺合する第二ねじを備え、前記ケーシングを回転させて前記第一ねじと第二ねじを螺合すると前記ねじ蓋の螺合がはずれる構成としたものである。
【００１３】
これにより、ケーシングを回転させて第一ねじと第二ねじを螺合すると、ケーシングの重量を台座部のバネで支えながら上部板を下部板側に下げて、同時に、ねじ蓋の螺号を外すこととなる。すなわち、メンテナンスでケーシングを取り外したときに、台座部が支えとなり作業者の腕にかかる重さを軽減することができるという効果を奏する。
【００１４】
また、請求項２記載のろ過装置は、前記連結部は前記可動テーブルとケーシングに備え、前記ケーシングを回転することで前記可動テーブルも回転可能となるようにしてもよい。
【００１５】
これによりケーシングをねじ蓋から取り外したり、ねじ蓋に取り付けたりする作業と可動テーブルを動かす作業とを同時に行うことが可能であるという効果を奏する。
【００１６】
また、請求項３記載のろ過装置は、前記連結部は前記可動テーブルに備えた爪と、前記ケーシング側面に備えた凹部であって、前記爪と凹部の嵌着によって、ケーシングを可動テーブル上に固定するような構成としてもよい。
【００１７】
これにより連結部が外れることなく作業ができるという効果を奏する。
【００１８】
また、請求項４記載のろ過装置は、前記可動テーブルの第一ねじと前記ケーシングのねじ蓋が互いに逆方向のねじであってピッチを等しくした構成としてもよい。
【００１９】
これによりケーシング取り外しの際、ねじ蓋が外れるとともに第一ねじが第二ねじに固定され、作業者がケーシングを支えることなく作業ができるという効果を奏する。
【００２０】
以下、本発明の実施の形態について図面を参照しながら説明する。
【００２１】
（実施の形態１）
図１および図２に示すように、水処理装置１は地下水などの原水に含まれる濁質成分を除去するろ過装置２を備えたものである。本実施の形態のろ過装置２は、上流側に粗粒子フィルター装置３を配置し、その下流側で細かい粒子のろ過を行なう精密ろ材を備えたものである。粗粒子フィルター装置３とろ過装置２とは配管４によって接続されている。
【００２２】
ろ過装置２は、ろ過部７と、ろ過部７を下方から支える台座組８と、ろ過部７と台座組８を連結する連結部９とから構成されている。
【００２３】
ろ過部７は、上部が開口した円筒状のケーシング１０とケーシング１０内部に入れて使用するフィルター１１と前記ケーシング１０の開口部を密閉状態に螺合するねじ蓋１２とを備えたものである。
【００２４】
フィルター１１は、水処理装置１の性能を発揮するための最も基本となる部材である。フィルター１１は、数マイクロメートル以上の粒子や凝集物を捕捉して除去し、地下水の濁度および色度を低減することを目的としている。フィルター１１には、カートリッジタイプのフィルターを用いることが一般的で、糸巻き、不織布、プリーツ、活性炭等を用いることができるが、洗浄し再利用できる素材が好適である。
【００２５】
フィルター１１は、例えばろ過精度が１マイクロメートルから５マイクロメートル程度のものを用いるとよい。またこの時、粗粒子フィルター装置３の代わりに、例えば２０マイクロメートルなど前記フィルター１１よりもろ過精度が低いカートリッジフィルタを前段に設けることも効果的である。
【００２６】
ケーシング１０は、ねじ蓋１２によって密閉状態に螺合されており、前記ねじ蓋１２は、配管４によって水処理装置１の系内に接続されている。ねじ蓋１２の素材としては、ケーシング１０と同じく金属、樹脂、あるいはガラス繊維で強化した樹脂などが好適であり、また同様に十分な耐水性、耐候性を有することが要求される。
【００２７】
台座組８は、ろ過部７を支え、ケーシング１０のねじ蓋１２からの取り外し、もしくはねじ蓋１２への取り付けを補助するためのものである。
【００２８】
台座組８は、底部に第一ねじ１３を備えた可動テーブル１４と、可動テーブル１４を支える台座部１５を有する。台座部１５は、上部板１６と下部板１７とバネ材１８を有し、上部板１６には第一ねじ１３の貫通孔１９を備え、下部板１７には第一ねじ１３と螺合する第二ねじ２０を備えている。上部板１６はバネ材１８によって下部板１７上に平行に設置されているが、可動テーブル１４を回し第一ねじ１３が第二ねじ２０に螺合すると、バネ材１８が収縮し上部板１６が下部板１７側へ下がる構造となっている。
【００２９】
また、可動テーブル１４を逆方向に回して、第一ねじ１３が第二ねじ２０から外れると、上部板１６はバネ材１８によって持ち上げられる。
【００３０】
前記台座部１５は屋外の設置に耐え得る素材が好ましく、さらに上部板１６は、バネ材１８により支えられることから樹脂、あるいはガラス繊維で強化した樹脂など比較的軽いものが好ましい。さらにバネ材１８は、３箇所以上設置し、自立する構造とすることが好ましい。
【００３１】
また、台座組８とろ過部７は連結部９によって連結することが可能であり、ろ過部７、台座組８、連結部９とを同様の素材、もしくは硬度の類似した素材とすることでそれぞれの接触による表面構造の消耗を低減することができる。
【００３２】
このような構成によって、ケーシング１０を回転させ、ねじ蓋１２を外してもケーシング１０の重量を台座部１５のバネ材１８で支えながら上部板１６を下部板１７側に下げることが可能となるため、メンテナンス時にケーシング１０を取り外したときに、台座部１５が支えとなり、作業者の腕にかかる重さを軽減することができるという効果を奏する。
【００３３】
（実施の形態２）
本実施の形態では、実施の形態１と同一の構成要件については同一の符号を付し、その詳細な説明は省略する。
【００３４】
図３に示すように、連結部９は可動テーブル１４とケーシング１０に備え、ケーシング１０を回転することで前記可動テーブル１４も回転可能である。この時、連結部９を可動テーブル１４に備えた爪２１と、ケーシング１０側面に備えた凹部２２とで構成し、爪２１を凹部２２へ嵌着する構造とし、２箇所以上設けることでケーシング１０を可動テーブル１４上に固定することができ、ケーシング１０から可動テーブル１４が外れることなく連動させることができる。
【００３５】
また、可動テーブル１４の第一ねじ１３とケーシング１０のねじ蓋１２を互いに逆方向のねじとし、それぞれのピッチを等しくすることで、ケーシング１０をねじ蓋１２から外すと同時に第一ねじ１３と第二ねじ２０が螺合し、ケーシング１０を支えたまま上部板１６が下がり固定され、ケーシング１０を容易に取り外すことが可能となる。
【産業上の利用可能性】
【００３６】
本発明にかかる水処理装置１は、女性や力の弱い人でも一人で容易にメンテナンス作業が可能な構造となるため、井戸水や貯留水の浄化に使用される家庭用小型水処理装置として有用である。
【符号の説明】
【００３７】
１  水処理装置
２  ろ過装置
３  粗粒子フィルター装置
４  配管
７  ろ過部
８  台座組
９  連結部
１０  ケーシング
１１  フィルター
１２  ねじ蓋
１３  第一ねじ
１４  可動テーブル
１５  台座部
１６  上部板
１７  下部板
１８  バネ材
１９  貫通孔
２０  第二ねじ
２１  爪
２２  凹部
【図１】
2016159276.tif 000003
【図２】
2016159276.tif 000004
【図３】
2016159276.tif 000005
【図４】
2016159276.tif 000006